(57)【特許請求の範囲】
【請求項１】
外周面にインク収容用のキャビティパターンを有する陰刻ローラ（１２）と、
前記陰刻ローラ（１２）と共にニップを形成する背圧シリンダ（１４）と、
前記陰刻ローラ（１２）と背圧シリンダ（１４）の外周面の動きに同期して、前記ニップの間を通るように被印刷物のシート（１８）を提供するコンベヤ（１６）と、
前記ニップを通過する前記シート（１８）の色値を測定し、所定のフレキソ印刷機により印刷して得られる印刷物の色を予測するために、前記コンベヤ（１６）に対して配置された光学センサ（３０）とを備え、
前記陰刻ローラ（１２）のキャビティパターンが、前記フレキソ印刷機に設けられたアニロックスローラ(７８)のスクリーンに対応する形状であることを特徴とする色校正装置。
【請求項２】
前記陰刻ローラ（１２）は、外周面に、それぞれ異なる複数のスクリーン（２６）を有し、
前記複数のスクリーンは、それぞれ異なるインク収容量を有するインク収容用のキャビティパターンからなり、
前記複数のスクリーンは、前記陰刻ローラの長手方向に沿って帯状に配列されており、
光学センサ（３０）は、前記校正装置内の定位置に取り付けられていることを特徴とする請求項１に記載の色校正装置。
【請求項３】
色校正装置内の定位置に取付けられた照明システム（３２，３４）を備え、
前記光学センサ（３０）および前記照明システム（３２，３４）は、外部光から遮蔽されていることを特徴とする請求項２に記載の色校正装置。
【請求項４】
圧力源(７０)に接続されることで、色校正装置を高気圧に保つ気密容器３６を備えることを特徴とする請求項１〜３の何れかに記載の色校正装置。
【請求項５】
前記背圧シリンダ(１４)は、前記陰刻ローラ(１２)を所定の力で付勢するように配置されていることを特徴とする請求項１〜４の何れか記載の色校正装置。
【請求項６】
背圧シリンダ(１４)の駆動系にワンウェイクラッチ(５８)が設けられていることを特徴とする請求項１〜５の何れかに記載の色校正装置。
【請求項７】
前記コンベヤ(１６)は、互いに平行に配列された一対の搬送ベルト(３８)を備え、
前記一対の搬送ベルト(３８)は、前記シート(１８)の中央部が前記陰刻ローラ(１２)と前記背圧ローラ(１４)との間を通過する際に、前記シート(１８)の両側縁を支持することを特徴とする請求項１〜６の何れかに記載の色校正装置。
【請求項８】
印刷前の用紙から、被印刷物となるシート(１８)を所定の寸法で切断するために配置される切断システム(４４，４６，４８)を備えることを特徴とする請求項１〜７の何れかに記載の色校正装置。
【請求項９】
前記切断システム(４４，４６，４８)の切断ダイ（４６）の少なくとも一部分が、前記搬送ベルト(３８)に固定され、前記シート(１８)を保持するためのホルダとして構成されていることを特徴とする請求項７および８に記載の色校正装置。
【請求項１０】
色校正装置を制御するために構成された制御ユニット(８６)を備え、
前記制御ユニット(８６)は、前記シート(１８)の前縁が、前記背圧シリンダ(１４)と前記陰刻ローラ(１２)との間を通った後に、前記背圧シリンダ(１４)を前記陰刻ローラ(１２)に対する位置に配置し、前記シート(１８)の後縁が通る前に、前記背圧シリンダを再度陰刻ローラ(１２)から離すように、色校正装置を制御することを特徴とする請求項１〜９の何れかに記載の色校正装置。
【請求項１１】
前記陰刻ローラ(１２)の表面の洗浄を行うための位置に移動可能なように取り付けられたクリーニング装置(６４)を備えることを特徴とする請求項１〜１０の何れかに記載の色校正装置。
【請求項１２】
請求項１〜１１の何れかに記載の色校正装置(１０)を用いた色校正およびフレキソ印刷方法であって、
印刷に使用されるインクのサンプルを前記陰刻ローラ(１２)にインキ着けするステップと、
印刷に用いられる被印刷物(８２)としてのシート(１８)を、前記陰刻ローラ(１２)と前記背圧シリンダ(１４)との間に形成されるニップの間に通過させ、これにより前記シート(１８)上にインク層(２８)を印刷するステップと、
前記インク層(２８)の色値を測定するステップと、
フレキソ印刷工程を行った際に得られる印刷物の色を予測するために、測定された色値を使用するステップと、を備え、
前記フレキソ印刷工程は、色校正装置内の前記陰刻ローラ(１２)のスクリーンに対応するスクリーンを有するアニロックスローラ(７８)に前記インクを充填し、次いで、前記インクを印刷シリンダ(７６)に転写し、前記印刷シリンダ(７６)から前記被印刷物(８２)に転写する工程であることを特徴とする色校正およびフレキソ印刷方法。
【請求項１３】
前記陰刻ローラに設けられた、それぞれ異なる複数のスクリーン（２６）を用いて、前記シート(１８)に複数のインク層(２８)を印刷し、前記インク層（２８）について測定された色値の色空間座標（９０）を、モニタ（８８）に表示させることを特徴とする請求項１２に記載の色校正およびフレキソ印刷方法。
【請求項１４】
試験対象外のスクリーンに対応する補間色値、予測された色値、および／または目標色値に対応する色空間座標（９２，９６，９８）を前記モニタ（８８）に表示することを特徴とする請求項１３に記載の色校正およびフレキソ印刷方法。
【発明の詳細な説明】
【技術分野】
【０００１】
本発明は、色校正装置、ならびに色校正およびフレキソ印刷方法に関する。
【背景技術】
【０００２】
印刷業界では、印刷実行前に印刷製品、すなわち印刷製品の特定領域の色値について、印刷の運転が開始される前に予測することが望まれており、これによれば、色誤差を検出し、検出した誤差を、例えば、印刷機の設定を調整すること、インクのレシピを変更すること、および/またはフレキソ印刷の場合において異なるスクリーンの陰刻ローラを選択することにより、除去することができる。
【０００３】
これに対し、被印刷物のサンプル上にインク層を塗布するためのインキ着けローラを備えた手持ち式の色校正装置を使用し、次いで、被印刷物上のインク層の色を検査するという方法が知られている。
【０００４】
他の公知の色校正方法としては、印刷機のミニチュア版として構成される色校正装置を用いてフレキソ印刷工程全体を模擬することを試みるものがある。
【発明の概要】
【発明が解決しようとする課題】
【０００５】
本発明は、印刷工程、特にフレキソ印刷工程において得られる印刷物の色の予測精度を改善することを目的とする。
【課題を解決するための手段】
【０００６】
本発明は、外周面にインク収容用のキャビティパターンを有する陰刻ローラと、陰刻ローラと共にニップを形成する背圧シリンダと、前記陰刻ローラと背圧シリンダの外周面の動きに同期して、前記ニップの間を通るように被印刷物のシートを提供することに適応したコンベヤと、前記ニップを通過する前記シートの色値を測定し、所定のフレキソ印刷機により印刷して得られる印刷物の色を予測するために、前記コンベヤに対して配置された光学センサとを備え、前記陰刻ローラのキャビティパターンが、前記フレキソ印刷機に設けられたアニロックスローラのスクリーンに対応する形状である色校正装置を提案する。
【０００７】
この色校正装置は、色校正を行う際の色の生成おいて高い再現性を確保できるだけでなく、色値の測定における高い再現性も確保することができる。これは、光学センサが色校正装置に内蔵され前記コンベヤに配置されており、色測定は常に同じ条件か、または少なくとも比較可能な条件の下で行われるためである。
【０００８】
本発明に係る色校正およびフレキソ印刷方法は上記の色校正装置を使用するものであり、印刷に使用されるインクのサンプルを陰刻ローラにインキ着けするステップと、印刷に用いられる被印刷物としてのシートを、前記陰刻ローラと前記背圧シリンダとの間に形成されるニップの間に通過させ、これにより前記シート上にインク層を印刷するステップと、前記インク層の色値を測定するステップと、フレキソ印刷工程を行った際に得られる印刷物の色を予測するために、測定された色値を使用するステップと、を備え、前記フレキソ印刷工程は、色校正装置内の前記陰刻ローラのスクリーンに対応するスクリーンを有するアニロックスローラに前記インクを充填し、次いで、前記インクを印刷シリンダに転写し、前記印刷シリンダから前記被印刷物に転写する方法である。
【発明の効果】
【０００９】
したがって、本発明によれば、色校正方法は、実際のフレキソ印刷工程よりは、むしろ輪転グラビア印刷工程をシミュレートすることとなる。これにより、色校正の色に影響を与えるパラメータおよび条件の数の変化を低減または排除することができるため、色校正工程の再現性が大幅に改善されるという利点を有する。なお、フレキソ印刷工程では、印刷物の色は、陰刻ローラの印刷シリンダに対して設定された圧力と、印刷シリンダが被印刷物と背圧シリンダに押し付けられている圧力によって影響される。これに対し、本発明に係る色校正の工程では、これら二つの変動値が、単一のパラメータ、すなわち、被印刷物および背圧シリンダに対して陰刻ローラに設定される圧力に置換される。さらに、色校正工程においては、輪転印刷機における実際のフレキソ印刷工程よりもはるかに遅いことから、色校正の色は、インクが被印刷物の上に付着するより前に乾いてしまう時間の長さによって大きく影響されてしまう。したがって、本発明における、陰刻ローラから被印刷物へインクが直接転写され、印刷シリンダの外周面上のインクの乾燥時間の影響を排除することができるというという点は、注目すべき利点である。
【００１０】
一方、手持ち式の装置による色校正と比較すると、本発明は、例えば、陰刻ローラから被印刷物に加わる圧力のような変動値が、色校正装置の構成や設定により決定されるという利点を有することから、手持ち式の装置により得られる結果よりも、再現性が高い。
【００１１】
もちろん、上記方法で得られる測定色値は、実際のフレキソ印刷工程における印刷シリンダの影響を反映することができない。しかし、これらの影響は、経験的に決定でき、および／または数学的モデルによって説明することができるものであるため、校正刷りによるインク層について測定された色値に、このようなモデルを適用させれば、実際の被印刷物上で得られる色値を予測することが可能となる。
【００１２】
色校正のために再現性の高い手順を用い、色を測定し、得られた色値を用いて印刷物の色を予測することで、予測精度を大幅に向上させることができる。
【００１３】
本発明において、さらに具体的に選択可能な構成としては、従属請求項に記載されている。
【００１４】
本発明に係る方法では、陰刻ローラに備えられた複数のスクリーンを、被印刷物上の複数のインク層を印刷するために用いることで、測定された色値が、陰刻ローラの各スクリーンに対応して得られる。そして、最良の結果が得られた陰刻ローラのスクリーンを、実際の印刷工程に用いるものとして選択することができる。
【００１５】
また、種々のスクリーンについて得られた複数の色値に基づいて、実際にテストされていないスクリーンの色値を補間することができる。
【００１６】
本発明に係る色校正装置は、その外周面上に複数の異なるスクリーンを有する陰刻ローラによって構成することができる。そして、このような複数の異なるスクリーンは、それぞれ得られる複数のインク層が、陰刻ローラが一回転する間に被印刷物上に印刷されるように、陰刻ローラの長手方向に沿って帯状に配列されていることが好ましい。ここで得られるインク層は、シートがコンベヤにより移動する際に光センサを通過するため、校正装置に固定されて装着される光センサを使用することが可能であり、様々なインク層の色値を順次測定することができる。これは、色校正装置の構成を簡素化するだけでなく、色の測定が、常に同じ照明条件の下で行われるようにするができる。好ましくは、照明システムが、装置に固定して取り付けられ、色センサおよび照明システムが、外部光から遮蔽される。
【００１７】
本実施形態においては、好ましくは、色校正装置は、インク層をシート上に形成する間に高気圧を維持することができる気密容器内に収容される。このように高気圧とすることで、陰刻ローラ表面のインクの乾燥を遅らせることとなるため、これにより、校正装置の陰刻ローラ表面のインクの滞留時間が、高速印刷機におけるアニロックスローラ（および印刷シリンダ）表面のインクの滞留時間と比較して長くなってしまうという影響を、少なくとも部分的に補うことができる。
【００１８】
校正装置の背圧シリンダは、ゴム弾性表面層を有することができ、被印刷物の厚さに拘わらず、背圧シリンダと陰刻ローラの間のニップの線圧を常に同じにするため、陰刻ローラに対して所定の力で配置することができる。あるいは、背圧シリンダは、陰刻ローラに対する定位置に固定してもよい。
【００１９】
陰刻ローラと背圧シリンダの周速差に起因して、陰刻ローラと被印刷物との間の滑りが発生して色値が変化してしまうため、これを回避するため、背圧シリンダは、陰刻ローラの周速と同一ではないが似たような周速で駆動させ、背圧シリンダの速度を被印刷物のシートが通過する際の陰刻ローラの速度に対して、容易に調整することができるように、背圧シリンダの駆動系にワンウェイクラッチを設けることが好ましい。そのため、背圧シリンダは、できるだけ小さな慣性モーメントを有するべきであり、例えば、背圧シリンダは、強化繊維炭素で形成することができる。
【００２０】
また、色校正装置は、用紙から被印刷物を所定の寸法で切断、または打ち抜くために配置される切断システムをさらに含むことができる。これはオペレータにとって便利なだけではなく、ニップの線圧が常に同じになるように、被印刷物シートを常に同じ寸法、特に陰刻ローラの軸方向と同じ寸法とすることができるものである。
【００２１】
本実施形態においては、好ましくは、ニップの間にシートを搬送するためのコンベヤには、互いに平行に配列された一対の搬送ベルトが備えられ、これにより、シート中央部が陰刻ローラと背圧シリンダとの間を通過する際に、シート両側の横縁部を支持することができる。そして、搬送ベルトには、シートを打ち抜くための切断ダイの少なくとも一部を固定することができ、これにより、シートが校正装置を通じて供給される際に、シートを保持するための支持部材として構成することができる。したがって、例えば手動により一旦シートが打ち抜かれると、色値の測定を含む他の校正プロセスを、オペレータによる介入を伴わずに、自動的に実行させることができる。
【００２２】
この工程においては、背圧シリンダを、シートの前縁部が通過した後のみ、陰刻ローラに対してセットされるようにし、そして、シートの後縁部が通過する前に、陰刻ローラから再度離れるように制御することができる。したがって、背圧シリンダは被印刷物シートだけに接触し、陰刻ローラのインク搬送周面には接触しない。これにより、各校正プロセスの後に、背圧シリンダをクリーニングする必要性を回避することができる。
【００２３】
色校正装置において、各校正操作後に洗浄する必要がある唯一の部材は、陰刻ローラである。これに対して、背圧シリンダおよびクリーニングユニットを、共通の搬送キャリッジに搭載することにより、色校正処理が完了した際に、陰刻ローラの表面が自動的に洗浄装置で洗浄することができるような位置に移動し、陰刻ローラを洗浄することができる。
【００２４】
本実施形態について、図面を用いて以下において説明する。
【図面の簡単な説明】
【００２５】
【図１】図１は、本発明に係る色校正装置の概略断面図である。
【図２】図２は、図１に示す装置の主要部を示す平面図である。
【図３】図３は、フレキソ印刷工程を示す概略図である。
【図４】図４は、色校正装置に接続され、色校正装置および印刷物の色値を予測するようにプログラムされている処理装置のモニタ画面に表示される画像を示す。
【発明を実施するための形態】
【００２６】
図１に示すように、色校正装置１０は、陰刻ローラ１２、背圧シリンダ１４、およびコンベヤ１６を含むものである。コンベヤ１６は、陰刻ローラ１２と背圧シリンダ１４との間に形成されるニップを通る被印刷物のシート１８を供給するものである。
【００２７】
陰刻ローラ１２の周辺には、陰刻ローラ１２の表面にインク着けするためのインキ溜２０が配置されている。インキ溜２０には、ピペット２２により計量されたインクを充填することができる。インキ溜２０は、内部のインクの温度および／または粘度を測定するためのプローブ２４をさらに含む。
【００２８】
本技術分野で一般的に知られているように、陰刻ローラ１２の表面は、微細な溝のパターンが形成されおり、インキ溜２０を通過する際にインクが充填される。図２に示すように、陰刻ローラ１２の周面は、このような溝のパターンにより形成された複数のスクリーン２６を担持する。スクリーン２６は陰刻ローラの軸方向に延び、陰刻ローラの周方向に等間隔に分布している。溝の容積、すなわちスクリーンのインク搬送容量（面積あたりのインク量）は、スクリーンごとに異なる。
【００２９】
シート１８が陰刻ローラ１２と背圧シリンダ１４の間のニップを通じて供給された場合、図２に示すように、各スクリーン２６は、被印刷物上にインク層２８を印刷する。これらのインク層の色（図２の符号１−７）は、スクリーン２６のインク収容容量の違いにより、互いに異なるものとなる。ここで、例えば、色を検知するための光学センサ３０（たとえば、分光計）は、シート１８が通過する際に連続的に各インク層２８の色を測定するために、コンベヤ１６上方の固定位置に取り付けられている。センサ３０によって測定された色は、ＣＩＥ  ＸＹＺまたはＣＩＥＬ＊ａ＊ｂ＊のように適切な色座標の色値により表現される。
【００３０】
図１に示すように、センサ３０はコンベヤ１６上のシートを照らす照明システムの光源３２と組み合わされる。他の光源である光源３４は、透明または半透明のシートが下方から照らすことができるように、シートの搬送経路の下方に取り付けられている。色校正装置１０全体は、気密容器３６内に収容されており、センサ３０と光源３２、３４は、この容器内の固定位置に取り付けられており、これにより、常に同じ照明条件下で、シート１８上のインク層２８の測定が行われることとなる。
【００３１】
コンベヤ１６は、一対の環状の搬送ベルト３８を有し、これらの搬送ベルト３８が、陰刻ローラ１２の軸方向に互いに離間し、ガイドローラ４０とテンションローラ４２の周りを通る。
【００３２】
下方切断ダイ（図２）の固定部４４は、コンベヤの上流側の搬送ベルト３８間のスペースに取り付けられている。また、下方切断ダイは、一対の可動部４６を備え、一対の可動部４６は、それぞれが搬送ベルト３８の一方に固定または組み込まれている。そして、下方切断ダイは、固定部４４および可動部４６が組合わさって、大きな用紙から長方形のシート１８を切り出すための、長方形の切断ダイとして形成される。また、下方切断ダイに対応する上方切断ダイ４８（図１）がコンベヤ１６の上方において回転可能なように取り付けられている。
【００３３】
下方切断ダイおよび上方切断ダイにより形成される切断機構は、気密容器３６の頂部壁の蓋部５０を開くことにより、オペレータがアクセスすることができる。したがって、被印刷物の用紙は、搬送ベルト３８と下方切断ダイの上に配置することができ、そして上方切断ダイ４８を一時的に閉じることにより長方形のシート１８を打ち抜くことができる。その後、上方切断ダイが再度持ち上げられ、切断されたシート１８が固定部４４および可動部４６上に残り、用紙の残余外側部分が取り除かれる。下方切断ダイの可動部４６は、シート１８の両側周縁領域を保持するシートホルダとして構成される。例えば、下側切断ダイの可動部４６は、シート１８の周縁領域を引き寄せる吸引送風機と吸引ノズル（図示せず）を備えてもよく、これにより搬送ベルト３８上にシートを固定する。
【００３４】
陰刻ローラ１２の両側では、搬送ベルト３８の上方に環状の案内ベルト５２が配置されている。これらの各案内ベルト５２の下方延伸部は、シート１８が供給される場合に、シートの周縁領域が搬送ベルト上に安全に保持されるために、搬送ベルト３８の直上に水平に延びる。これにより、シートが陰刻ローラ１２のインク着けされた周面にシートが付着するのを防止することができる。
【００３５】
駆動モータ５４および駆動ギア（図１では概略的にのみ示す）は、陰刻ローラ１２と案内ベルト５２とを同期して駆動するために設けられている。別の駆動モータ５６は、コンベヤ１６のために設けられている。駆動モータ５４および５６の速度は、シート１８が搬送ベルト３８上を搬送される速度と、陰刻ローラ１２の周速度とが確実に同じ速度となるように電子的に同期されている。
【００３６】
また、背圧シリンダ１４は、駆動モータ５４によって駆動され、ワンウェイクラッチ５８を含む駆動系に連動している。ワンウェイクラッチ５８は、駆動モータ５４により課せられる速度よりも早い速度で背圧シリンダを回転させることができる。背圧シリンダ１４の軸は、搬送キャリッジ６２上に取り付けられた設定機構６０により支持され、陰刻ローラ１２に対して相対的に背圧シリンダ１４を昇降させるようになっている。詳細には図示されていないが、設定機構６０は、陰刻ローラ１２と、通過するシート１８とを接触させるために背圧シリンダ１４を持ち上げるように配置され、陰刻ローラ１２に対して背圧シリンダ１４を所定の力で付勢する空気圧シリンダや偏心器等を含んでもよい。シート１８は、所定の幅に切断されていることから、シート１８に加わる力は、シートの厚さとは無関係に一定となるように予め設定された線圧に変換される。さらに、背圧シリンダ１４は、ゴム弾性表面層を有していてもよい。背圧シリンダ１４の本体は、背圧シリンダ１４が軽量で低慣性モーメントを有するように、繊維強化炭素によって形成されることが好ましい。
【００３７】
搬送キャリッジ６２は、シート１８の搬送方向に平行に水平方向に往復移動可能であり、また、陰刻ローラ１２のためのクリーニング装置６４を搬送する。図１の右側方向に搬送キャリッジ６２を移動させることで、陰刻ローラ１２を洗浄する自動洗浄工程を実行するために、クリーニング装置６４は背圧シリンダの場所へ移動可能であり、また陰刻ローラ１２の下側最深接触点に移動可能である。
【００３８】
気密容器３６の頂壁は、ピペット２２へのアクセスを行うための他の蓋部６６またはコネクタを有し、さらに、センサ３０へのアクセスを行う他の蓋部６８も有している。そのため、センサ３０は、選択的に別のタイプの光センサ、例えばフレキソ印刷で使用される色センサに交換可能となっており、得られる測定結果について互いに直接比較することができるようになっている。
【００３９】
気密容器３６の全ての蓋部５０、６６および６８が閉じられた場合、容器の内部は気密に封止される。圧縮機７０（あるいは他の圧縮空気の供給源）と、通気弁７２とは、容器内部の空気圧縮および排気の設定を行うことができるように、気密容器３６に接続されている。
【００４０】
上述した色校正装置１０により、次のようにして、色校正サイクルを実行することができる。
【００４１】
なお、校正プロセスは図３に概略的に示されているフレキソ印刷機を用いて得られる印刷物の色を予測することを目的とするものとする。印刷機は、中央圧胴７４と中央圧胴７４の周囲に配置された多数の色デッキを有している。図３では、一つの色デッキのみが示されている。この色デッキは、印刷シリンダ７６、アニロックスローラ７８、およびチャンバードクターブレード８０を備える。被印刷物８２の巻取紙は、印刷シリンダ７６に形成されるニップを通過するように、中央圧胴７４の周囲に搬送される。アニロックスローラ７８は、陰刻ローラ１２と同じ表面素材を有しており、校正装置内部の陰刻ローラ１２のスクリーン２６の一つと同一か、または少なくとも類似するスクリーンを形成する微細なパターンのインク受の溝を有する。印刷機のアニロックスローラ７８の溝には、チャンバードクターブレード８０からインクが充填される。アニロックスローラ７８は、印刷シリンダ７６上にインクが搬送されるように、印刷シリンダ７６の周面に対してセットされ回転する。印刷シリンダ７６は、印刷シリンダ７６上に装着された印刷プレートの凸版部が、被印刷物８２上にインクを搬送し、そして画像が印刷されるように、被印刷部に対して回転し押圧する。上述した色校正装置１０は、このように印刷される画像の色を予測するために用いられる。
【００４２】
校正サイクルを開始するために、気密容器３６内における高気圧となった空気を解放するように、通気弁７２が開放される。オペレータは蓋部５０を開け、搬送コンベア１６上に、より詳細には、下方切断ダイの固定部４４および可動部４６に、被印刷物８２と同じ材料である巻取材料の用紙を配置する。上方切断ダイ４８は、用紙からシート１８を切り出すために、下方切断ダイに回転可能に取り付けられ、下方に押圧される。そして、上方切断ダイ４８が再び開き、用紙の残余部分が除去されて、蓋部５０が再び閉じられる。
【００４３】
ピペット２２を使用して、チャンバードクターブレード８０で使用するインクと同じ組成を有するインクのサンプルがインキ溜２０内に充填される。その後、気密容器３６が気密に封止され、オペレータは、校正装置１０に接続された電子制御ユニット８６のスタートボタン８４（図４）を押すことにより、後述するさらなる制御を行う。
【００４４】
通気弁７２は閉じられ、陰刻ローラ１２上のインクの蒸発が、印刷機（図３）による通常動作時（校正装置１０における「印刷」速度よりも早い印刷速度の動作時）におけるアニロックスローラ７８および印刷シリンダ７６上のインクの蒸発減に相当する量に減少されるまで、気密容器３６内の空気圧を上昇させるように、コンプレッサ７０が動作する。
【００４５】
下側切断ダイの可動部４６の吸引送風機（図示せず）は、切断されたシート１８の周縁領域を吸引して可動部４６上、すなわち搬送ベルト３８上にシートを保持するために動作する。駆動モータ５４および５６は、搬送コンベヤ１６および案内ベルト５２と同様に、陰刻ローラ１２を駆動するために始動する。搬送ベルト３８、およびこの上に固定されている可動部４６は、シート１８を陰刻ローラ１２に向かって搬送する。この際においては、まだ、背圧シリンダ１４は、陰刻ローラ１２にもシート１８にも接触しない下方位置に保持されている。その間、陰刻ローラ１２上のスクリーン２６は、インキ溜２０からインクを吸い上げ、そして陰刻ローラ１２が回転するにしたがって、このインクは陰刻ローラ１２の周囲に沿って運ばれる。なお、この段階では、増加した気圧によって、インクの蒸発が抑制される。インクの温度と粘度は、プローブで計測され電子制御ユニット８６内に記録される。
【００４６】
シート１８の前縁が陰刻ローラ１２と背圧シリンダ１４の間を通過する際に、設定機構６０が起動し背圧シリンダ１４を持ち上げて、シート１８に対して所定の線圧で押圧する。駆動モータ５４は、陰刻ローラ１２の周速よりも僅かに遅い速度で、背圧シリンダ１４を駆動させる。そして、背圧シリンダ１４が、シート１８と摩擦接触した直後に、背圧シリンダ１４のゴム弾性層の圧縮量に拘わりなく、陰刻ローラ１２とシート１８との間に滑りが生じないように、ワンウェイクラッチ５８が、正確に陰刻ローラ１２の周速と同一になるまで背圧シリンダ１４を加速させる。この際においては、背圧シリンダ１４の慣性モーメントが低いおかげで、この速度調整は非常に短時間で行われる。
【００４７】
その後、インキ溜２０内でインキ着けされたスクリーン２６は、続いて陰刻ローラ１２と背圧シリンダ１４との間のニップに到達し、インキ溜による複写方式によって、インクがシート１８上に転写されることで、インク層２８が形成される。
【００４８】
シート１８の後縁がニップに到達するよりも前に、背圧シリンダ１４がインクで汚れることを防止するべく、背圧シリンダ１４は再度下降し、シート１８および陰刻ローラ１２と接触しないようにするために離れる。
【００４９】
一方、案内ベルト５２は、シート１８が搬送ベルト３８上に滞在することで、陰刻ローラ１２の周面に付着してしまうことを防止するべく、シート１８を付勢する。
【００５０】
そして、気密容器３６内の高気圧の空気を開放するために、通気弁７２が開かれる。
【００５１】
シート１８が、センサ３０の位置に到達すると、照明システムが起動し、シートが固定センサ３０の下方を通過する際にインク層２８の色が測定され、記録される。この測定された色値は、後の処理のために電子制御ユニット８６に送信される。
【００５２】
その後、シート１８をコンベア上に保持したまま、下方切断線の可動部４６を、図１に示す位置に戻すために、コンベヤ１６の搬送方向が反転される。そして、シートが陰刻ローラ１２と背圧シリンダ１４の間のギャップを通過したとき、クリーニング装置６４が作動位置に運ばれて陰刻ローラ１２の周面を洗浄するために、搬送キャリッジ６２は図１の右方に移動する。図２示すように、搬送ベルト３８は、陰刻ローラ１２の軸端部外側を通過するものであるため、インクで染色されることはない。
【００５３】
最終的には、蓋部５０を開けてシート１８を取り出すことができ、これにより、次の校正サイクルを開始することができる。
【００５４】
透明被印刷物の裏面を印刷するために校正が必要となる場合（実際の印刷プロセスにおいては裏側になる）には、透明シートを介してセンサ３０によりインク層の色を測定するべく、上面側に形成されたインク層２８を有するシート１８を取り出して、手動で逆にしてもよい。
【００５５】
センサ３０により測定された各インク層２８の色値は、電子制御ユニット８６で処理され、制御ユニットに備えられたタッチスクリーンなどのモニタ８８上に表示される。
【００５６】
本技術分野で一般的に知られているように、色値は、例えば、Ｌ＊ａ＊ｂ＊色空間のように、三次元色空間で表現される。オペレータによって選択されるこの色空間の三次元斜視図および／またはこの色空間の二次元スライスを表示するために、モニタ８８を使用できる。図４に示す例では、モニタ８８が、Ｌ値が固定されたａ−ｂ−面のスライスを表示する。各スクリーン１から７の測定された色値は、ドット９０で表示され、対応するスクリーン番号（１―７）が表示される。図４に示す例では、実際には測定が行われていないスクリーンであっても、インク収容容量が、すでに測定が行われた複数のスクリーン２６における量の間の値であるスクリーンについては、色値が、電子制御ユニット８６により補間され、対応するドット９２が追加されることで表示される。
【００５７】
インク層２８が形成された校正プロセスは、印刷シリンダ７６を含む印刷機の実際のフレキソ印刷プロセス（図３）とは正確に同一ではない。しかし、印刷機においては発生するが、校正工程ではシミュレートすることができない印刷シリンダ７６の影響や、その他の影響は、経験的データおよび/または数学的モデルに基づいて電子制御ユニット８６で算出され、図４の矢印９４よって記号化されて表され、ドット９０、９２が、それぞれ、その計算の結果に対応したドット９６上にマッピングされる。このため、各ドット９６は、印刷された製品の色を表すこととなる。すなわち、各ドット９６は、ドット９６の算出が行われたスクリーン（実際に色値が測定されたスクリーン、または色値が補間されたスクリーン）に対応したアニロックスローラ７８のスクリーンによる予測により、被印刷物８２上の印刷画像を表すこととなる。
【００５８】
図４のドット９８は、所望の画像領域について指定されている目標色を表す。このため、ドット９６の位置に対するドット９８の配列を比較することにより、可能な限り目標色（ドット９８）を近似させるのに最適なスクリーン（すなわち、アニロックスローラ７８）を選択することが可能である。
【００５９】
例示ではドット９６のいずれも、ターゲットカラーを表すドット９８とは一致しない。このことは、目標色に近づけるために、インクの配合を変更する必要があることを意味する。この際においては、どのように配合を変更するべきか（例えば、現在のインクに顔料を添加する）は、当技術分野で知られているアルゴリズムを使用してもよい。この際における、アルゴリズムは、色空間座標で指定された方向に色値をシフトさせるためにどのように配合を変更しなければならないかを計算するものである。図４のドット１００は、実際に修正されたインク組成物を用いて到達できる色値を示す。
【００６０】
上記の計算では、プローブ２４により得られた測定結果に基づいて、インクの粘度と温度の影響についても考慮することができ、印刷機のインク温度およびインク粘度に対応する目標値が与えられてもよく、またドット９６により表される予測色値も、印刷機における実際のインク粘度および／またはインク温度を考慮して修正することができる。
【図１】
0005732146.tif 000002
【図２】
0005732146.tif 000003
【図３】
0005732146.tif 000004
【図４】
0005732146.tif 000005